(57)【要約】 【課題】赤色、緑色、青色、及び白色画素からなる単位画素を含む表示装置で画像の表示品質を向上させることができる表示装置を提供する。【解決手段】複数の発光ブロックを含む光源モジュールと、赤色、緑色、青色、及び白色画素からなる単位画素を含み、前記発光ブロックに対応して複数の画像ブロックに分割された画像を表示する表示パネルと、前記画像ブロックの内、前記表示パネルで表示できないＯＯＧ（ｏｕｔ  ｏｆ  ｇａｍｕｔ）データが含まれた第１画像ブロックに対応する第１発光ブロックの輝度を引き上げるよう駆動する光源モジュール駆動部とを有する。【選択図】      図１
2010122657.tif 000002
【特許請求の範囲】
【請求項１】
複数の発光ブロックを含む光源モジュールと、
赤色、緑色、青色、及び白色画素からなる単位画素を含み、前記発光ブロックに対応して複数の画像ブロックに分割された画像を表示する表示パネルと、
前記画像ブロックの内、前記表示パネルで表示できないＯＯＧ（ｏｕｔ  ｏｆ  ｇａｍｕｔ）データが含まれた第１画像ブロックに対応する第１発光ブロックの輝度を引き上げるよう駆動する光源モジュール駆動部とを有することを特徴とする表示装置。
【請求項２】
前記光源モジュール駆動部は、前記画像ブロックの内、前記ＯＯＧデータが含まれない第２画像ブロックに対応する第２発光ブロックを前記第２画像ブロックの画像データの代表階調に対応する輝度で駆動することを特徴とする請求項１記載の表示装置。
【請求項３】
前記光源モジュール駆動部は、受信した画像データと予め設定された臨界値とを比較して前記画像データが前記ＯＯＧデータであるか否かを判断するＯＯＧ判断部と、
前記発光ブロックに駆動信号を提供する光源駆動部と、
前記発光ブロックの内、前記第１発光ブロックは輝度を引き上げ、前記第２発光ブロックは、前記第２画像ブロックの代表階調に対応する輝度で駆動するよう前記光源駆動部を制御する領域輝度制御駆動部とを含むことを特徴とする請求項２記載の表示装置。
【請求項４】
前記領域輝度制御駆動部は、前記第１発光ブロックを駆動させる駆動信号のデューティ比を最大に増加させることを特徴とする請求項３記載の表示装置。
【請求項５】
前記領域輝度制御駆動部は、前記第１発光ブロックを駆動させる駆動信号の電流レベルを最大に増加させることを特徴とする請求項３記載の表示装置。
【請求項６】
受信した赤色階調、緑色階調、及び青色階調の画像データを赤色階調、緑色階調、青色階調及び白色階調の画像データに変換するデータ変換部をさらに有することを特徴とする請求項１記載の表示装置。
【請求項７】
前記ＯＯＧ判断部は、前記赤色階調、緑色階調、及び青色階調の画像データに基づいて前記画像データが前記ＯＯＧデータであるか否かを判断することを特徴とする請求項６記載の表示装置。
【請求項８】
前記ＯＯＧ判断部は、前記赤色階調、緑色階調、青色階調及び白色階調の画像データに基づいて前記画像データが前記ＯＯＧデータであるか否かを判断することを特徴とする請求項６記載の表示装置。
【請求項９】
前記第１画像ブロックの内、前記ＯＯＧデータを除いたその他の画像データによって表示される画像が元の輝度を有するように前記その他の画像データの階調を変更する階調変更部をさらに有することを特徴とする請求項１記載の表示装置。
【請求項１０】
前記光源モジュールは、複数の赤色、緑色、及び青色光源からなることを特徴とする請求項１記載の表示装置。
【発明の詳細な説明】
【技術分野】
【０００１】
本発明は、表示装置に関し、より詳しくは、表示品質を向上させることができる表示装置に関する。
【背景技術】
【０００２】
一般的に、液晶表示装置は液晶の光透過率を利用して画像を表示する液晶表示パネルと液晶表示パネルの下部に配置されて液晶表示パネルに光を提供するバックライトアセンブリとを含む。
【０００３】
液晶表示パネルは、画素電極及び画素電極と電気的に接続された薄膜トランジスタを有するアレイ基板、共通電極及びカラーフィルタを有するカラーフィルタ基板、及びアレイ基板とカラーフィルタ基板との間に介在する液晶層を含む。
【０００４】
液晶層は、画素電極と共通電極との間に形成された電場によって液晶分子の配列が変化され、それによって液晶層を透過する光の透過率を変更させる。ここで、光の透過率が最大に増加すると液晶表示パネルは輝度の高いホワイト画像を具現することができ、一方、光の透過率が減少すると液晶表示パネルは輝度の低いブラック画像を具現することができる。
【０００５】
しかし、液晶層の液晶分子のが一般的に、完全に一定方向に配列させることが容易ではないため、液晶表示パネルは低い階調値で光漏れ現象が発生することがある。即ち、液晶表示パネルは、低い階調値で完全なブラック画像を具現することが容易ではなく、それによって液晶表示パネルで表示される画像の明暗比（ｃｏｎｔｒａｓｔ  ｒａｔｉｏ：ＣＲ）が減少するという問題がある。
【０００６】
近年、画像の明暗比が減少する現象を防ぐために位置別に光量を制御して駆動させる領域輝度制御（ｌｏｃａｌ  ｄｉｍｍｉｎｇ）方法が開発された。領域輝度制御方法は、光源を複数の発光ブロックに分け、発光ブロックに対応する液晶表示パネルの表示領域の明暗に対応して発光ブロックの光量を制御する。
例えば、ブラック映像を表示させる表示領域に対応する発光ブロックは、低輝度（例えば、消灯）の明るさで駆動させ、ホワイト画像を表示させる表示領域に対応する発光ブロックは高輝度の明るさに駆動させる。
【発明の概要】
【発明が解決しようとする課題】
【０００７】
そこで、本発明は上記従来の表示装置における問題点に鑑みてなされたものであって、本発明の目的は、赤色、緑色、青色、及び白色画素からなる単位画素を含む表示装置で画像の表示品質を向上させることができる表示装置を提供することにある。
【課題を解決するための手段】
【０００８】
上記目的を達成するためになされた本発明による表示装置は、複数の発光ブロックを含む光源モジュールと、赤色、緑色、青色、及び白色画素からなる単位画素を含み、前記発光ブロックに対応して複数の画像ブロックに分割された画像を表示する表示パネルと、前記画像ブロックの内、前記表示パネルで表示できないＯＯＧ（ｏｕｔ  ｏｆ  ｇａｍｕｔ）データが含まれた第１画像ブロックに対応する第１発光ブロックの輝度を引き上げるよう駆動する光源モジュール駆動部とを有することを特徴とする。
【発明の効果】
【０００９】
本発明に係る表示装置によれば、赤色、緑色、青色、及び白色画素からなる単位画素を含む表示パネルで、ＯＯＧ画像が含まれた画像ブロックに対応する発光ブロックの輝度を高輝度に引き上げて（ｂｏｏｓｔ）駆動することによってＯＯＧ画像を表示することができ、それにより画質を向上させることができるという効果がある。
また、赤色、緑色、青色、及び白色画素からなる単位画素を含む表示パネルを使用することによって透過率を向上させることができ、消費電力対比高画質画像を具現することができるという効果がある。
【図面の簡単な説明】
【００１０】
【図１】本発明の一実施形態による表示装置のブロック図である。
【図２】赤色、緑色、及び青色画素からなるＲＧＭ構造の単位画素で表示できる色領域を示すグラフである。
【図３】図１に示した赤色、緑色、青色、及び白色画素からなるＲＧＢＷ構造の単位画素で表示できる色領域を示すグラフである。
【図４】図１に示した表示装置の光源装置に対するブロック図である。
【図５】図１に示した表示装置の駆動方法を説明するためのフローチャートである。
【図６】図１の表示装置の表示パネルに表示された画像を例示した概略図である。
【図７】図６に示した画像のうち、ＯＯＧデータが存在する領域を示した概略図である。
【図８】図６の画像に対応して光源モジュールの駆動を説明するために概略図である。
【図９】図７に示した「Ａ」画像ブロックの画素を示す拡大図である。
【図１０】図１の表示装置によって表示できるカラー領域を示すグラフである。
【発明を実施するための形態】
【００１１】
次に、本発明に係る表示装置を実施するための形態の具体例を図面を参照しながら説明する。
【００１２】
本発明は多様な変更を加えることができ、様々な形態を有することができるため、特定実施例を図面に例示し、本明細書に詳しく説明する。しかし、これは本発明を特定の開示形態に対して限定しようとすることではなく、本発明の思想及び技術範囲に含まれる全ての変更、均等物、ないしは代替物を含むことと理解されるべきである。
各図面を説明しながら類似する参照符号を、類似する構成要素に対して使用した。添付図面において、構造物のサイズは本発明の明確性に基づくために実際より拡大して示した。
【００１３】
第１、第２などの用語は多様な構成要素を説明するにあたって使用することができるが、各構成要素は使用される用語によって限定されるものではない。各用語は１つの構成要素を他の構成要素と区別する目的で使用されるものであって、例えば、明細書中において、第１構成要素を第２構成要素に書き換えることも可能であり、同様に第２構成要素を第１構成要素とすることができる。単数表現は文脈上、明白に異なる意味を有しない限り、複数の表現を含む。
【００１４】
本明細書において、「含む」または「有する」などの用語は、明細書上に記載された特徴、数字、段階、動作、構成要素、部分品、またはこれらを組み合わせたものが存在することを指定しようとすることであって、１つまたはそれ以上の別の特徴、数字、段階、動作、構成要素、部分品、またはこれらを組み合わせたものの存在または付加可能性を予め排除しないことと理解されるべきである。また、層、膜、領域、板などの部分が他の部分の「上に」あるとする場合、これは他の部分の「すぐ上に」ある場合のみでなく、その中間にさらに他の部分がある場合も含む。反対に、層、膜、領域、板などの部分が他の部分の「下に」あるとする場合、これは他の部分の「すぐ下に」ある場合のみでなく、その中間にさらに他の部分がある場合も含む。
【００１５】
図１は、本発明の一実施形態による表示装置のブロック図である。
図１を参照すると、本発明の一実施形態による表示装置は、表示パネル１００、パネル駆動部１７０、及び光源装置３００を含む。
【００１６】
表示パネル１００は、複数のデータ配線ＤＬ、データ配線ＤＬと交差する複数のゲート配線ＧＬ、及び複数の画素を含む。画素は赤色、緑色、青色、及び白色画素（ＰＲ，ＰＧ，ＰＢ，ＰＷ）からなる単位画素を含む。図示はされていないが、各色画素はゲート配線ＧＬ及びデータ配線ＤＬに接続されたスイッチング素子ＴＲ、スイッチング素子ＴＲに接続された液晶キャパシタＣＬＣ、及びストレージキャパシタＣＳＴを含む。
【００１７】
図２は、赤色、緑色、及び青色画素からなるＲＧＢ構造の単位画素で表示できる色領域を示すグラフである。
図３は、図１に示した赤色、緑色、青色、及び白色画素からなるＲＧＢＷ構造の単位画素で表示できる色領域を示すグラフである。
【００１８】
図２及び図３を参照すると、Ｘ軸は緑色の輝度を示し、Ｙ軸は赤色の輝度を示し、Ｘ軸とＹ軸が交差する交差点から法線方向であるＺ軸は青色の輝度を示し、Ｘ軸とＹ軸との間の方向、Ｗ軸は白色の輝度を示す。
ＲＧＢ構造のグラフは、赤色、緑色、及び青色の最大輝度に対応して色を表示できる全体領域（Ｇａｍｕｔ  Ｈｕｌｌ）、即ち第１表示領域ＧＨ１として定義される。
ＲＧＢＷ構造のグラフは、赤色、緑色、青色、及び白色画素の最大輝度に対応して色を表示できる第２表示領域ＧＨ２として定義され、白色の最大輝度がＲＧＢ構造の白色輝度に比較して約２倍程度拡張している。
【００１９】
ＲＧＢＷ構造は、ＲＧＢ構造に比較して、色画素と個数を減らして同一の解像度を表示することができ、透過率を高めることができ、また、低消費電力で同一レベルの白色輝度を得ることができる。反面、ＲＧＢＷ構造は、白色を含まない純色を表示できない色領域（Ｏｕｔ  Ｏｆ  Ｇａｍｕｔ：以下、ＯＯＧ領域）が存在する。
光源装置によってＯＯＧ領域（ＯＯＧ＿Ａ）内の色を表示する方式は、後で説明する。
【００２０】
再度図１を参照すると、光源装置３００は、光源モジュール２００及び光源モジュール駆動部２７０を含む。
光源モジュール２００は、複数の光源が装着された印刷回路基板を含む。光源モジュール２００は、赤色、緑色、及び青色光源を含む。光源モジュール２００は、Ｉ×Ｊ（Ｉ、Ｊは自然数）個の発光ブロックＢに分けられる。発光ブロックＢは、領域輝度制御方式によって表示パネル１００に表示された画像に対応して個別的に駆動できる。各発光ブロックＢは、白色光源からなることができる。または、発光ブロックＢは、赤色、緑色、及び青色の光源からなることができる。光源として発光ダイオードＬＥＤを含んでもよい。
【００２１】
光源モジュール駆動部２７０は、ＯＯＧ判断部２１０、領域輝度制御駆動部２３０、及び光源駆動部２５０を含む。光源モジュール駆動部２７０は光源モジュール２００からの光の輝度を引き上げるように（Ｂｏｏｓｔｉｎｇ）駆動してＲＧＢＷ構造によって表示できないＯＯＧ領域（ＯＯＧ＿Ａ）の画像を表示する。
【００２２】
ＯＯＧ判断部２１０は、受信した画像データを予め設定した（上限、下限）臨界値と比較して受信した画像データがＯＯＧデータであるか否かを判断する。
【００２３】
例えば、ＯＯＧ判断部２１０は、単位画素の赤色階調、緑色階調、及び青色階調の画像データ（Ｒ、Ｇ、Ｂ）を赤色、緑色、及び青色の輝度データに変換し、これら輝度データのうち、最小値が下限臨界値より小さく、最大値が上限臨界値より大きい場合をＯＯＧ領域（ＯＯＧ＿Ａ）に含まれたＯＯＧデータであると判断する。
または、ＯＯＧ判断部２１０は、赤色階調、緑色階調、及び青色階調の画像データを赤色階調、緑色階調、青色階調、及び白色階調の画像データに変換し、さらに変換された赤色階調、緑色階調、青色階調、及び白色階調の画像データを赤色、緑色、青色、及び白色の輝度データに変換して、これら輝度データを予め設定した臨界値と比較してＯＯＧデータであるか否かを判断する。
【００２４】
領域輝度制御駆動部２３０は、画像データを発光ブロックＢに対応して複数の画像ブロックＤに分け、階調画像データを利用して発光ブロックの輝度を制御する制御信号を生成する。
例えば、領域輝度制御駆動部２３０は、画像ブロックＤのうち、ＯＯＧデータが存在する第１画像ブロックに対応する第１発光ブロックを輝度を引き上げるよう駆動して最大輝度を有するように制御し、ＯＯＧデータが存在しない第２画像ブロックに対応する第２発光ブロックを第２画像ブロックに対応する輝度を有するように制御する。
【００２５】
領域輝度制御駆動部２３０は、輝度を引き上げるようとする駆動のために第１発光ブロックを駆動する駆動信号のデューティ比を最大に調節するか、またはピーク電流を最大に調節するか、或いはデューティ比及びピーク電流を同時に最大に調節して輝度を引き上げるよう駆動する。
【００２６】
領域輝度制御駆動部２３０は、発光ブロックＢの輝度を制御する制御信号、例えば、駆動信号のデューティ比を制御するデューティ比データ及びピーク電流を制御する電流レベルデータを含む制御信号を光源駆動部２５０に提供する。
【００２７】
光源駆動部２５０は、領域輝度制御駆動部２３０から提供された制御信号のデューティ比データ及び電流レベルデータに基づいて光源モジュール２００の発光ブロックＢに提供する駆動信号を生成し、発光ブロックＢを駆動させる。
【００２８】
パネル駆動部１７０は、タイミング制御部１１０、データ変換部１２０、階調変更部１３０、データ駆動部１４０、及びゲート駆動部１５０を含む。
【００２９】
タイミング制御部１１０は、外部からの制御信号を受信する。受信した制御信号を利用して表示パネル１００の駆動タイミングを制御するタイミング制御信号を生成する。タイミング制御信号としては、クロック信号、水平開始信号、及び垂直開始信号を含む。
【００３０】
データ変換部１２０は、外部から受信した画像データを表示パネル１００のＲＧＢＷ構造に対応して変換する。例えば、赤色、緑色、及び青色のデータを赤色、緑色、青色、及び白色のデータに変換する。
【００３１】
階調変更部１３０は、ＯＯＧデータが存在する第１画像ブロックの画像データを変更する。
例えば、第１画像ブロックのうち、ＯＯＧデータを除いたその他の画像データの階調を相対的に低階調に補正する。第１画像ブロックに引き上げられた最大輝度の光が提供されることによって、その他の画像データの階調を低階調に補正して元の画像を表示する。
例えば、第１画像ブロックが元の輝度に対して２倍に引き上げられた輝度の光が提供される場合、その他の画像データの階調は１／２倍低階調データに補正する。結果的に、低階調に変更されたその他の画像データは元の画像を表示できる。
【００３２】
データ駆動部１４０は、タイミング制御部１１０から提供されたデータ制御信号及び階調変更部１３０から提供された画像データを利用してデータ配線ＤＬを駆動させる。即ち、データ駆動部１４０は、画像データをアナログ形態の電圧に変換してデータ配線ＤＬに出力する。
【００３３】
ゲート駆動部１５０は、タイミング制御部１１０から提供されたゲート制御信号を利用してゲート配線ＧＬを駆動させる。即ち、ゲート駆動部１５０は、ゲート配線ＧＬにゲート信号を出力する。
【００３４】
図４は、図１に示した表示装置の光源装置に対するブロック図である。
図１及び図４を参照すると、光源装置３００は、光源モジュール２００、ＯＯＧ判断部２１０、領域輝度制御駆動部２３０、及び光源駆動部２５０を含む。
【００３５】
光源モジュール２００は、例えば、８×８マトリクス構造を有する複数の発光ブロックＢに分けられ、発光ブロックＢは、８個の駆動ブロック（ＢＨ１、ＢＨ２、ＢＨ３、…、ＢＨ８）からなる。各駆動ブロック、例えば駆動ブロック（ＢＨ１）は、８個の発光ブロック（Ｂ１、Ｂ２、Ｂ３、…、Ｂ８）を含む。
【００３６】
ＯＯＧ判断部２１０は、単位画素の赤色階調、緑色階調、及び青色階調の画像データ（Ｒ、Ｇ、Ｂ）を赤色、緑色、及び青色の輝度データに変更させ、輝度データのうち、最小値が下限臨界値より小さく、最大値が上限臨界値より大きい場合、ＯＯＧ領域に含まれたＯＯＧデータと判断する。
【００３７】
領域輝度制御駆動部２３０は、代表決定部２３１及びデューティ比決定部２３３を含む。
代表決定部２３１は、画像データを発光ブロックＢに対応する複数の画像ブロックＤに分ける。
代表決定部２３１は、各画像ブロックＤの赤色階調、緑色階調、及び青色階調のデータを利用して赤色、緑色、及び青色の代表階調データを決定する。
【００３８】
代表階調データは、画像ブロックＤのデータのうち、最大階調のデータであるか又は平均データであってもよい。代表決定部２３１は発光ブロックＢが赤色、緑色、及び青色光源を含む場合には、各々の赤色、緑色、及び青色の代表階調データを決定し、一方、発光ブロックＢが白色光源からなる場合には代表決定部２３１は白色の代表階調データを決定する。
【００３９】
デューティ比決定部２３３は、発光ブロックＢの輝度を制御するデューティ比信号を決定する。
例えば、デューティ比決定部２３３はＯＯＧデータが存在する第１画像ブロックに対応する第１発光ブロックは最大輝度に対応するレベルのデューティ比信号に決定する。デューティ比決定部２３３は、ＯＯＧデータが存在しない第２画像ブロックに該当する第２発光ブロックは第２画像ブロックの代表階調データに対応するレベルのデューティ比信号に決定する。
【００４０】
光源駆動部２５０は、複数の駆動回路を含む。例えば、光源駆動部２５０は、８個の駆動ブロック（ＢＨ１、ＢＨ２、…、ＢＨ８）に対応して第１〜第８駆動回路（ＩＣ１、ＩＣ２、…、ＩＣ８）を含む。第１駆動回路ＩＣ１は、８個の出力チャンネルを含み、第１駆動ブロックＢＨ１の発光ブロック（Ｂ１、Ｂ２、Ｂ３、…、Ｂ８）に駆動信号を提供する。
【００４１】
例えば、第２及び第３駆動ブロック（ＢＨ２、ＢＨ３）にＯＯＧデータが存在する第１画像ブロックと対応して輝度引き上げ駆動される第１発光ブロックＢＢＴが含まれる場合、第２及び第３駆動回路（ＩＣ２、ＩＣ３）は領域輝度制御駆動部２３０から提供されたデューティ比信号によって第１発光ブロックＢＢＴを最大輝度に駆動させる。
【００４２】
図５は、図１に示した表示装置の駆動方法を説明するためのフローチャートである。
【００４３】
図１、図４、及び図５を参照すると、ＯＯＧ判断部２１０は、受信した画像信号と予め設定された臨界値とを比較して画像信号がＯＯＧ領域のデータであるかを判断する（ステップＳ１１０）。
例えば、ＯＯＧ判断部２１０は単位画素の赤色階調、緑色階調、及び青色階調の画像データ（Ｒ、Ｇ、Ｂ）を赤色、緑色、及び青色の輝度データに変換し、輝度データのうち、最大値が下限臨界値より小さく、最大値が上限臨界値より大きい場合にＯＯＧ領域に含まれたＯＯＧデータであると判断する。
【００４４】
又は、ＯＯＧ判断部２１０は、赤色階調、緑色階調、及び青色階調の画像データを赤色階調、緑色階調、青色階調及び白色階調の画像データに変換し、変換された赤色階調、緑色階調、青色階調及び白色階調の画像データを赤色、緑色、青色、及び白色の輝度データに変換して、輝度データを設定された臨界値と比較してＯＯＧデータを判断することができる。
【００４５】
領域輝度制御駆動部２３０は、ＯＯＧ判断部２１０から提供された情報を利用して画像ブロックのうち、ＯＯＧデータが存在する第１画像ブロックと、ＯＯＧデータが存在しない第２画像ブロックとに分離する（ステップＳ１３０）。
【００４６】
領域輝度制御駆動部２３０は、ＯＯＧデータが存在する第１画像ブロックに該当する第１発光ブロックを最大輝度に引き上げるように制御する。光源駆動部２５０は、領域輝度制御駆動部２３０の制御によって第１発光ブロックの輝度を引き上げる（ステップＳ２１０）。
【００４７】
一方、階調変更部１３０は、第１画像ブロックの画像データのうち、ＯＯＧデータを除いたその他の画像データを低階調データに変更する。
階調変更部１３０を通じて第１画像ブロックの画像データ、即ち変更された画像データ及びＯＯＧデータはデータ駆動部１４０を通じてアナログ形態のデータ電圧に変換されて表示パネル１００に提供する（ステップＳ２３０）。
その他の画像データが低階調データに変更されることによって、第１画像ブロックに引き上げられた最大輝度の光が提供されても低階調を有するその他の画像データは元の画像を表示することができる。このようにして、表示パネル１００には第１画像ブロックの画像が表示される。
【００４８】
領域輝度制御駆動部２３０は、ＯＯＧデータが存在しない第２画像ブロックに該当する第２発光ブロックの代表階調データに対応する輝度を有するように制御する。光源駆動部２５０は、領域輝度制御駆動部２３０の制御に従って、第２発光ブロックを駆動する（ステップＳ３１０）。
【００４９】
一方、階調変更部１３０は、第２画像ブロックの画像データを変更せず、データ駆動部１４０に提供する。データ駆動部１４０は、第２画像ブロックの画像データをアナログ形態のデータ電圧に変換して表示パネル１００に提供する（ステップＳ３３０）。このようにして表示パネル１００には第２画像ブロックの画像が表示される。
【００５０】
図６は、図１の表示装置の表示パネルに表示された画像を例示した概略図である。
図７は、図６に示した画像のうち、ＯＯＧデータが存在する領域を示した概略図である。
図８は、図６の画像に対応する光源モジュールの駆動を説明するための概略図である。  図９は、図７に示した「Ａ」の画像ブロックの画素を示す拡大図である。
【００５１】
図１、図６、及び図７を参照すると、ＯＯＧ判断部２１０は、図６に示すフレーム画像データを予め設定した臨界値と比較して図７に示すようにフレーム画像データのうちから、ＯＯＧデータ（ＯＯＧ＿Ｄ）を判断する。
【００５２】
図１、図７〜図９を参照すると、領域輝度制御駆動部２３０は画像ブロックのうち、ＯＯＧデータ（ＯＯＧ＿Ｄ）が存在する第１画像ブロックＤ１とＯＯＧデータ（ＯＯＧ＿Ｄ）が存在しない第２画像ブロックＤ２に分離する。
【００５３】
領域輝度制御駆動部２３０は第１画像ブロックＤ１に対応する第１発光ブロックＢＢＴを、最大輝度を有するように輝度引き上げ駆動するように制御する。また、領域輝度制御駆動部２３０は、第２画像ブロックＤ２に対応する第２発光ブロックＢＮＬを第２画像ブロックＤ２の代表階調データに基づいた輝度を有するように制御する。
【００５４】
第１画像ブロックＤ１は、図９に示すように、ＯＯＧデータ（ＯＯＧ＿Ｄ）と表示可能な階調データを含む。階調変更部１３０は、階調データを低階調データ（Ｇ＿Ｄ）に補正する。低階調データ（Ｇ＿Ｄ）は、第１画像ブロックＤ１に提供される光の輝度増加率に比例して、元の階調データと比較して低い階調に補正する。
【００５５】
従って、第１画像ブロックＤ１のＯＯＧデータ（ＯＯＧ＿Ｄ）は、最大輝度に輝度引き上げされた光によって表示でき、また、第１画像ブロックＤ１の階調データは低階調データ（Ｇ＿Ｄ）に補正されることによって元の画像どおりに表示できる。
【００５６】
図１０は、図１の表示装置によって表示できる領域を示すグラフである。
図１及び図１０を参照すると、表示装置は、ＲＧＢＷ構造を有する表示パネル１００によって第２表示領域ＧＨ２を有し、光源装置３００の輝度引き上げ駆動を通じてＲＧＢＷ構造で表示できないＯＯＧ領域（ＯＯＧ＿Ａ）の色を表示することができる。
【００５７】
本実施形態による表示装置によって表示可能な領域ＧＨ３は、ＲＧＢ構造を有する表示装置に比較して赤色、緑色、及び青色の輝度に対して約２倍拡大された色を表示できる。また、ＲＧＢＷ構造を有する表示装置で表示できなかったＯＯＧ領域の色を表示できる。
【００５８】
尚、本発明は、上述の実施形態に限られるものではない。本発明の技術的範囲から逸脱しない範囲内で多様に変更実施することが可能である。
【産業上の利用可能性】
【００５９】
本発明は、バックライトアセンブリを有する液晶表示装置等の表示装置に好適に利用される。
【符号の説明】
【００６０】
１００    表示パネル
１１０    タイミング制御部
１２０    データ変換部
１３０    階調変更部
１４０    データ駆動部
１５０    ゲート駆動部
１７０    パネル駆動部
２００    光源モジュール
２１０    ＯＯＧ判断部
２３０    領域輝度制御駆動部
２３１    代表決定部
２３３    デューティ比決定部
２５０    光源駆動部
２７０    光源モジュール駆動部
３００    光源装置
【図１】
2010122657.tif 000003
【図２】
2010122657.tif 000004
【図３】
2010122657.tif 000005
【図４】
2010122657.tif 000006
【図５】
2010122657.tif 000007
【図６】
2010122657.tif 000008
【図７】
2010122657.tif 000009
【図８】
2010122657.tif 000010
【図９】
2010122657.tif 000011
【図１０】
2010122657.tif 000012